(57)【要約】【課題】実用器具を格納した機能的ケースを支柱や筐体等の取付体に対して着脱自在に固着できるようにした取付装置を提供する。【解決手段】機能的ケースのケース本体を取付体の挿入窓に挿入し、機能的ケースの正面フランジを取付体の正面壁に重ね合わせた状態で、該機能的ケースを所定距離だけ下方に移動させることにより固着する構成である。機能的ケースの両側には係止爪が設けられ、取付体の挿入窓の両側縁には前記係止爪を受入れ通過させる凹部が切欠形成されており、前記下方移動したとき、凹部の下側で挿入窓の両側に形成された側縁部を正面フランジと係止爪により挟持するように構成されている。【選択図】図３
2009082342.tif 000002
【特許請求の範囲】
【請求項１】
ケース本体(66)に正面フランジ(67)を備えた機能的ケース(6)と、該機能的ケース(6)を取付保持する取付体(60)とから成り、取付体(60)の正面壁(63)に開設した挿入窓(64)にケース本体(66)を挿入すると共に、正面フランジ(67)を正面壁(63)に重ね合わせた状態で、機能的ケース(6)と取付体(60)を相互に着脱自在に固着する固着手段を設けた構成において、
前記固着手段は、機能的ケース(6)の両側に設けた係止爪(77)(78)と、取付体(60)の挿入窓(64)の両側縁に切欠形成した凹部(82)(83)と、該挿入窓(64)を下方に延設した延長窓部(64a)により構成され、
前記係止爪(77)(78)は、正面フランジ(67)の背面に対して正面壁(63)の肉厚に相当する隙間を形成した状態で外側方に向けて延びる自由端を備え、
前記凹部(82)(83)は、ケース本体(66)を挿入窓(64)に挿入したとき、前記係止爪(77)(78)を該凹部(82)(83)に通過させるように配置され、前記延長窓部(64a)は、挿入窓(64)に挿入されたケース本体(66)を下方に所定距離Ｌだけ移動可能とするように挿入窓(64)から下向きに延設されており、
ケース本体(66)を挿入窓(64)に挿入すると共に正面フランジ(67)を正面壁(63)に重ね合わせた状態で機能的ケース(6)を下方移動したとき、正面フランジ(67)の背面と係止爪(77)(78)が挿入窓(64)の側縁部(73)(74)を挟持するように構成して成ることを特徴とする機能的ケースの取付装置。
【請求項２】
前記係止爪(77)(78)は、機能的ケース(6)の両側に位置して上下方向に間隔をあけて列設された複数の係止爪により構成され、一側部に列設された係止爪(77)と他側部に列設された係止爪(78)を相互に上下方向に位置をずらせて配置しており、
前記凹部(82)(83)は、ケース本体(66)を挿入窓(64)に挿入したとき前記両側部の係止爪(77)(78)を受入れて通過させるように、挿入窓(64)の両側縁に上下方向に間隔をあけて切欠状に列設されると共に、一側部に列設された凹部(82)と他側部に列設された凹部(83)を相互に上下方向に位置をずらせて配置して成ることを特徴とする請求項１に記載の機能的ケースの取付装置。
【請求項３】
正面フランジ(67)の下方に下片(70)を延設すると共に、該下片の背面に対して正面壁(63)の肉厚に相当する隙間を形成した状態で下向きに延びる自由端を備えた嵌着爪(79)を設けており、
ケース本体(66)を挿入窓(64)に挿入すると共に正面フランジ(67)を正面壁(63)に重ね合わせた状態で機能的ケース(6)を下方移動したとき、下片(70)の背面と嵌着爪(79)が延長窓部(64a)の下縁部(75)を挟持するように構成して成ることを特徴とする請求項１又は２に記載の機能的ケースの取付装置。
【請求項４】
嵌着爪(79)の自由端に下片(70)に向かう突部(80)を設けると共に、該突部(80)に臨むスリット(81)を下片に開設しており、
下片(70)の背面と嵌着爪(79)により延長窓部(64a)の下縁部(75)を挟持した状態で、該下縁部(75)に前記突部(80)を嵌入させる嵌着孔(76)を開設して成ることを特徴とする請求項３に記載の機能的ケースの取付装置。
【発明の詳細な説明】
【技術分野】
【０００１】
本発明は、カップホルダーや物置棚のような実用器具を格納した機能的ケースを着脱自在に取付けるための取付装置に関する。
【背景技術】
【０００２】
従来、例えば、パチンコホールの島には多数のパチンコ台が列設され、長時間にわたり顧客がパチンコの遊技を楽しんでいる。そこで、パチンコ台にカップホルダーを設けることにより顧客の便宜に供することが望ましい。しかしながら、一般的にパチンコ台は、比較的短期間で入れ替えが行われるため、パチンコ台にカップホルダーを直接に取付けことは不経済である。
【０００３】
そこで、本発明者は、隣り合うパチンコ台の間にカップホルダー等の実用器具を格納した機能的ケースを着脱自在となるように介装すれば、パチンコ台の入れ換えに関わらず再利用が可能になることを知得した。
【０００４】
ところが、隣り合うパチンコ台の間に許容されるスペースは、幅狭で上下方向に長く延びる細長いスペースに限られるので、実用器具を格納した機能的ケースの取付構造をどのように構成すべきであるか未解決の課題がある。
【０００５】
この点に関して、物品の連結構造に関し、種々の装置が従来から提案されているが、本発明の目的に沿うようなものが存在しない。
【０００６】
【特許文献１】特開平８−１４２７３０号公報
【特許文献２】特開平９−２５６７１２号公報
【特許文献２】特開２００３−２８４６２７号公報
【発明の開示】
【発明が解決しようとする課題】
【０００７】
本発明は、隣り合うパチンコ台の間に装着可能とされる支柱等の細長い取付体や、任意の形状とした筐体等の取付体に対して、機能的ケースを着脱自在に取付けることができ、しかも、取付状態で堅固であると共に、体裁の良い取付けを可能とした装置を提供することを課題とするものである。
【課題を解決するための手段】
【０００８】
そこで、本発明が手段として構成したところは、ケース本体に正面フランジを備えた機能的ケースと、該機能的ケースを取付保持する取付体とから成り、取付体の正面壁に開設した挿入窓にケース本体を挿入すると共に、正面フランジを正面壁に重ね合わせた状態で、機能的ケースと取付体を相互に着脱自在に固着する固着手段を設けた構成において、前記固着手段は、機能的ケースの両側に設けた係止爪と、取付体の挿入窓の両側縁に切欠形成した凹部と、該挿入窓を下方に延設した延長窓部により構成され、前記係止爪は、正面フランジの背面に対して正面壁の肉厚に相当する隙間を形成した状態で外側方に向けて延びる自由端を備え、前記凹部は、ケース本体を挿入窓に挿入したとき、前記係止爪を該凹部に通過させるように配置され、前記延長窓部は、挿入窓に挿入されたケース本体を下方に所定距離Ｌだけ移動可能とするように挿入窓から下向きに延設されており、ケース本体を挿入窓に挿入すると共に正面フランジを正面壁に重ね合わせた状態で機能的ケースを下方移動したとき、正面フランジの背面と係止爪が挿入窓の側縁部を挟持するように構成して成る点にある。
【０００９】
本発明の好ましい実施形態において、前記係止爪は、機能的ケースの両側に位置して上下方向に間隔をあけて列設された複数の係止爪により構成され、一側部に列設された係止爪と他側部に列設された係止爪を相互に上下方向に位置をずらせて配置しており、前記凹部は、ケース本体を挿入窓に挿入したとき前記両側部の係止爪を受入れて通過させるように、挿入窓の両側縁に上下方向に間隔をあけて切欠状に列設されると共に、一側部に列設された凹部と他側部に列設された凹部を相互に上下方向に位置をずらせて配置している。
【００１０】
本発明の好ましい実施形態は、正面フランジの下方に下片を延設すると共に、該下片の背面に対して正面壁の肉厚に相当する隙間を形成した状態で下向きに延びる自由端を備えた嵌着爪を設けており、ケース本体を挿入窓に挿入すると共に正面フランジを正面壁に重ね合わせた状態で機能的ケースを下方移動したとき、下片の背面と嵌着爪が延長窓部の下縁部を挟持するように構成している。
【００１１】
また、嵌着爪の自由端に下片に向かう突部を設けると共に、該突部に臨むスリットを下片に開設しており、下片の背面と嵌着爪により延長窓部の下縁部を挟持した状態で、該下縁部に前記突部を嵌入させる嵌着孔を開設している。
【発明の効果】
【００１２】
請求項１に記載の本発明によれば、取付体６０の正面壁６３に開設した挿入窓６４に機能的ケース６のケース本体６６を挿入する構成において、挿入窓６４の両側縁に凹部８２、８３を切欠形成すると共に、該挿入窓６４の下方に延長窓部６４ａを延設し、これに対して、機能的ケース６の両側に位置して正面フランジ６７の背面に前記正面壁６３の肉厚に相当する隙間ｓ１、ｓ２を形成した状態で外側方に向けて延びる自由端を備えた係止爪７７、７８を設けており、ケース本体６６を挿入窓６４に挿入すると共に正面フランジ６７を正面壁６３に重ね合わせた状態で機能的ケース６を延長窓部６４ａを介して移動距離Ｌだけ下方移動することにより、正面フランジ６７の背面と係止爪７７、７８により挿入窓６４の両側縁部の被係止縁７３、７４を挟持する構成であるから、構造簡単にして着脱操作が容易であり、しかも、安定堅固な取付固着状態を可能とした機能的ケース６の取付装置を提供できるという効果がある。
【００１３】
請求項２に記載の本発明によれば、機能的ケース６の両側に位置して上下方向に間隔をあけて列設された複数の係止爪７７、７８は、一側部に列設された係止爪７７と他側部に列設された係止爪７８を相互に上下方向に位置をずらせて配置しており、取付体６０の挿入窓６４の両側に上下方向に間隔をあけて切欠形成した凹部８２、８３は、一側部に列設された凹部８２と他側部に列設された凹部８３を相互に上下方向に位置をずらせて配置した構成であるから、取付体６０により支柱６０ａを構成する場合に、該支柱６０ａの強度が損なわれず、必要十分な強度の支柱６０ａを提供できるという効果がある。
【００１４】
請求項３に記載の本発明によれば、正面フランジ６７に延設した下片７０にで下向きに延びる自由端を備えた嵌着爪７９を設け、ケース本体を挿入窓に挿入した状態で下方移動することにより、下片７０の背面と嵌着爪７９により延長窓部６４ａの下縁部の被挟持部７５を挟持する構成であるから、ケース本体６６が縦方向に細長い形態とされ、ケース本体６６の下端が延長窓６４ａに確実に接支されていない場合であっても、該ケース本体６６の下端部をガタツキなく好適に保持できるという効果がある。
【００１５】
請求項４に記載の本発明によれば、嵌着爪７９の突部８０を正面壁６３の嵌着孔７６に嵌入させる構成であるから、固着状態の機能的ケース６が上方の戻り方向に移動することが阻止され、ユーザ等の悪戯により機能的ケース６が取付体６０から取外されるおそれはない。そして、下片７０には前記突部８０に臨むスリット８１が開設されているので、実際に機能的ケース６を取付体６０から取外す必要があるときは、ドライバー工具等の治具をスリット８１に挿入することにより突部８０と嵌着孔７６の嵌着状態を解き、その状態で機能的ケース６を上方移動することにより挿入窓６４から抜取ることができるという効果がある。
【発明を実施するための最良の形態】
【００１６】
以下図面に基づいて本発明の好ましい実施形態を詳述する。
【００１７】
本発明の取付装置１は、機能的ケース６を取付体６０に対して着脱自在に取付可能とする装置を構成する。この際、機能的ケース６は、後述するような引出し式のカップホルダーを格納するケースに限定されるものではなく、その他の種々の実用器具を格納したケースが広く対象とされる。また、取付体６０は、背面側が開放された支柱６０ａや、機能的ケース１を内装するための筐体６０ｂの他に、種々のものが広く対象とされることを諒解されたい。
【００１８】
（取付装置の第１例）
取付装置１の第１例を図１に示しており、取付体６０を構成する支柱６０ａを用いることにより、機能的ケース６を縦方向の細長いスペースに装着できるように構成されている。例えば、取付装置１は、島２に列設される隣り合うパチンコ台やパチスロ台等の遊技台３、３の間に許容される縦方向の細長いスペース４に装着される。図例の場合、遊技台３、３の間に、貸与機（パチンコの場合は球貸機、パチスロの場合は疑似コイン貸機）５と取付装置１が並設される。
【００１９】
取付装置１は、機能的ケース６を支柱６０ａに着脱自在に固着される構成とされ、後述するように支柱６０ａを細長いスペース４に装着した状態で、機能的ケース６を該支柱６０ａの正面側から嵌入することにより組付けられる。支柱６０ａは、島２に対して遊技台３の装着空間を形成するための中柱を構成し、該支柱６０ａの上下のフランジ６１、６２を島２の上梁及び下梁（図示せず）にビス等で固着され、上下梁を相互に支持すると共に、上梁の荷重を支持する。正面壁６３には挿入窓６４が開設され、機能的ケース６を該挿入窓６４に挿入することにより支柱６０ａに固着される。この際、該支柱６０ａの正面壁６３は、塗装等により表面を化粧仕上げされており、遊技台３の正面とほぼ面一に配置され、前記スペース４の正面側の開口を閉鎖する。
【００２０】
（取付装置の第２例）
取付装置１の第２例を図２に示しており、機能的ケース６は、取付体６０を構成する筐体６０ｂに内装され、着脱自在に固着される構成とされる。筐体６０ｂの正面壁６３には挿入窓６４が開設され、機能的ケース６を該挿入窓６４に挿入することにより筐体６０ｂに固着される。従って、この場合、機能的ケース６を内装した筐体６０ｂをデスク６５の上に設置することができる。
【００２１】
尚、以下、「正面」「背面」「側面」「上」「下」の語句は、図１及び図２に示すように取付装置１を縦置き状態で設置する場合を基準とする相対的な意味であることを諒解されたい。
【００２２】
（取付装置の実施形態）
図３に示すように、機能的ケース６は、ケース本体６６の正面側に上下方向に長く延びる正面フランジ６７を一体に設けており、該ケース本体６６に正面側に向けて引出し自在なスライド体６８を格納し、該スライド体６８に実用器具を設けている。図例の場合、ケース本体６６は断面を縦長の矩形状に形成しており、該ケース本体６６の上下及び両側に張り出すように、正面フランジ６７に上片６９、下片７０、左右側片７１、７２を形成している。
【００２３】
取付体６０は、正面壁６３に挿入窓６４を開設している。そこで、図３（Ａ）に矢印Ｆで示すように、機能的ケース６のケース本体６６を挿入窓６４に挿入すると共に、該正面壁６３に正面フランジ６７を重ね合わせた状態で、矢印Ｄで示すように、機能的ケース６を下方に移動させることにより、該機能的ケース６と取付体６０を着脱自在に固着する固着手段が設けられている。取付体６０に固着された状態で、機能的ケース６は、図３（Ｂ）に示すように、ケース本体６６を取付体６０の正面壁６３の背面側に内装し、正面フランジ６７を正面壁６３に密接状態で重ね合わせられる。以下、固着手段の構成を説明する。
【００２４】
機能的ケース６は、  図４（Ａ）に示すように、ケース本体６６の断面を縦長の矩形状に形成しており、断面形状に関して幅ｗ１と高さｈ１を有する。そして、正面フランジ６７は、左右側片７１、７２を両側に張り出すと共に、上片６９を高さｈａだけ上方に張り出し、下片７０を高さｈｂだけ下方に張り出すように形成している。
【００２５】
これに対して、取付体６０の正面壁６３は、図５に示すように、挿入窓６４を幅ｗ２と高さｈ２により規定されるほぼ矩形状に形成し、前記ケース本体６６を挿入可能とするように、幅ｗ２が前記幅ｗ１と等しく又は僅かに大きく、高さｈ２が前記高さｈ１と等しく又は僅かに大きくなるように形成し、挿入窓６４の両側縁部により被係止縁７３、７４を形成している。挿入窓６４は、下方に所定距離Ｌだけ延設された延長窓部６４ａを形成し、該延長窓部６４ａの下縁部により被挟持部７５を形成し、該被挟持部７５の下方に位置して正面壁６３に横向きスリット状の嵌着孔７６を開設している。
【００２６】
図４（Ａ）及び図４（Ｂ）に示すように、機能的ケース６の両側には、係止爪７７、７８が設けられている。ケース本体６６が側面を開口するケーシング１０と該開口を施蓋する蓋板１２により構成されている図示実施例の場合、一方の係止爪７８は、図４（Ｃ）に示すように、正面フランジ６７の背面側に突設された基部から外側方に向けて延びる自由端を有し、該自由端を蓋板１２から幅ｗ３だけ突出させ、該自由端と正面フランジ６７の右側片７２の背面との間に前記被係止縁７４の肉厚に相当する隙間ｓ１を形成している。また、他方の係止爪７７は、図４（Ｄ）に示すように、ケーシング１０から外側方に向けて延びる自由端を有し、該自由端をケーシング１０から幅ｗ４だけ突出させ、該自由端と正面フランジ６７の左側片７１の背面との間に前記被係止縁７３の肉厚に相当する隙間ｓ２を形成している。
【００２７】
更に、正面フランジ６７の下片７０には、該下片７０の背面側に突出された基部から下向きに延びる自由端を備えた嵌着爪７９が設けられており、該自由端には下片７０に向かう突部８０が設けられ、該突部８０に臨むスリット８１を該下片７０に開設している。
【００２８】
前記機能的ケース６に設けた係止爪７７、７８に対して、取付体６０の挿入窓６４の両側縁には、図５に示すように、それぞれの係止爪７７、７８を受入れ通過させる凹部８２、８３が形成されている。即ち、凹部８２は係止爪７７の突出幅ｗ４と等しく又は僅かに大きくなる切欠幅ｗＬとなるように形成され、凹部８３は係止爪７８の突出幅ｗ３と等しく又は僅かに大きくなる切欠幅ｗＲとなるように形成されている。尚、高さ方向に関しても、凹部８２、８３は、係止爪７７、７８の高さを等しく又は僅かに大きくなる高さ寸法に形成されている。
【００２９】
図示のように、係止爪７７、７８は、機能的ケース６の両側に位置して上下方向に間隔をあけて複数が列設されており、一側部に列設された係止爪７７と他側部に列設された係止爪７８を相互に上下方向に位置をずらせて配置している。これに対して、凹部８２、８３も同様に、挿入窓６４の両側縁に上下方向に間隔をあけて列設されると共に、一側部に列設された凹部８２と他側部に列設された凹部８３を相互に上下方向に位置をずらせて配置している。
【００３０】
（固着手段の作用）
図３に基づき説明したように、取付体６０の正面壁６３に開設された挿入窓６４に対して、機能的ケース６のケース本体６６を矢印Ｆのように挿入させ、正面フランジ６７を正面壁６３に重ね合わせた状態で矢印Ｄのように下方に移動させることにより、前記固着手段による固着が完了する。
【００３１】
ケース本体６６を挿入窓６４に挿入したとき、図６（Ａ）に示すように、右側の係止爪７８が右側の凹部８３を通過して正面フランジ６７の右側片７２を正面壁６３に重ね合わせられると共に、図６（Ｂ）に示すように、左側の係止爪７７が左側の凹部８２を通過して正面フランジ６７の左側片７１を正面壁６３に重ね合わせられる。これと同時に、図６（Ｃ）に示すように、嵌着爪７９が延長窓部６４ａを通過して正面フランジ６７の下片７０を正面壁６３に重ね合わせられる。
【００３２】
そこで、正面フランジ６７を正面壁６３に沿って下方に移動させると、図６（Ｄ）に示すように、右側の係止爪７８が凹部８３の下方に位置する被係止縁７４の背面に移動し、該被係止縁７４を係止爪７８と右片７２により挟持すると共に、図６（Ｅ）に示すように、左側の係止爪７７が凹部８２の下方に位置する被係止縁７３の背面に移動し、該被係止縁７３を係止爪７７と左片７１により挟持する。これと同時に、図６（Ｆ）に示すように、嵌着爪７９が被挟持部７５の背面に移動し、該被挟持部７５を嵌着爪７９と下片７０により挟持すると共に、嵌着爪７９の突部８０を嵌着孔７６に嵌入する。
【００３３】
機能的ケース６は、延長窓部６４ａの延設距離Ｌだけ下方移動されるので、この下方移動に対応してケース本体６６の上方に挿入窓６４の上端部が位置することになるが、正面フランジ６７の上片６９を高さｈａがｈａ＞Ｌとなるように形成されており、従って、挿入窓６４の上端部は上片６９により覆われる。
【００３４】
この固着状態において、機能的ケース６は、左右両側に位置して、左右片７１、７２と係止爪７７、７８により被係止縁７３、７４を挟持しているので、ガタツキを生じることがなく、抜け止め固着されている。また、嵌着爪７９の突部８０が嵌着爪７９に嵌入しているので、機能的ケース６が上方の戻り方向に移動することが阻止されている。
【００３５】
固着状態を解除して機能的ケース６を取付体６０から取出す場合は、下片７０のスリット８１からドライバー工具等の治具を挿入し、嵌着爪７９を可撓性変形させることにより、突部８０を嵌着孔７６から離脱させ、その状態で正面フランジ６７を上方に移動すれば、係止爪７７、７８が凹部８２、８３に臨むと共に、嵌着爪７９が延長窓部６４ａに臨むので、ケース本体６６を挿入窓６４から引き抜くことができる。この際、挿入窓６４の高さｈ２に関して、ケース本体６６の上端が挿入窓６４の上縁６４ｂに当接した位置決め状態で、係止爪７７、７８が凹部８２、８３に合致して臨み、嵌着爪７９が延長窓部６４ａに合致して臨むように構成するのが好ましい。
【００３６】
上述のように、取付体６０は、支柱６０ａや筐体６０ｂを構成することが可能であるが、特に、支柱６０ａを構成する場合において、図示のように、左右の凹部８２、８３が相互に上下方向に位置をずらして配置されるように構成することが好ましい。これにより、正面壁６３が水平方向に対面して左右両側の凹部８２、８３を配置する低強度部分を形成することがないので、支柱６０ａに要求される強度を満足できる。
【００３７】
（機能的ケースの第１例）
図７ないし図１１は、実用器具としてのカップホルダーを格納自在に設けた機能的ケース６の具体例を示しており、機能的ケース６は、スライド体６８とケース本体６６とから成り、スライド体６８をケース本体６６に引出し自在に格納するように組み合わせられる。
【００３８】
（ケース本体の基本的構成）
ケース本体６６は、側面を開口する矩形皿状に形成された薄形箱状のケーシング１０と、該ケーシング１０の背面側の側縁にヒンジ１１を介して連設された蓋板１２とから成り、ケーシング１０の正面側に正面フランジ６７を設けており、図示実施形態の場合、合成樹脂により一体成形されている。
【００３９】
ケーシング１０の上下壁１０ａ、１０ｂの内側には複数の爪片１４（上壁の爪片は図示しないが、下壁の爪片と対称に配置される）が設けられ、これに対して、蓋板１２の内側面の上下縁近傍には舌片１５が設けられている。そこで、蓋板１２とケーシング１０を合掌させたとき、舌片１５が上下壁１０ａ、１０ｂと爪片１４の間に嵌合し、ケーシング１０の側面開口を蓋板１２により閉鎖する。前記正面フランジ６７には、ケーシング１０の内部に連通する窓孔１６が開設されている。
【００４０】
（スライド体の基本的構成）
スライド体６８は、前記窓孔１６を介してケース本体６６に引出し自在に格納される鉛直方向の縦板部１７を備え、該縦板部１７の上縁に沿ってガイドリブ１８を設けると共に、下縁の近傍に沿って支持リブ１９を設け、更に、正面側の側縁に位置して閉止壁２０を設けると共に、背面側の側縁からやや正面側寄りに位置して鉛直方向に延びる縦壁２１を縦板部１７に設けており、図示実施形態の場合、合成樹脂により一体成形されている。
【００４１】
そこで、スライド体６８をケース本体６６に格納したとき、図８に示すように、閉止壁２０が正面フランジ６７とほぼ面一になるように位置して窓孔１６を閉じる。そして、スライド体６８をケース本体６６から引出したとき、図９に示すように、縦壁２１が正面フランジ６７に近接して窓孔１６の大部分を内側から覆う。従って、スライド体６８は、図８に示す格納位置と図９に示す引出し位置との間で進退移動自在であり、移動に際して、縦板部１７がケーシング１０の皿状の底壁１０ｃに重なり合って摺動すると共に、ガイドリブ１８がケーシング１０の上壁１０ａの内面を摺動し、縦板部１７の下縁がケーシング１０の下壁１０ｂの内面を摺動する。スライド体６８の引出しを助けるため、閉止壁２０には摘み片２２が設けられている。
【００４２】
（物置部材の構成）
スライド体６８の縦板部１７には、該縦板部１７に沿う起立姿勢と該縦板部１７に交差する展開姿勢との間で回動自在となるように枢着された物置部材２３が設けられている。図示実施形態の場合、物置部材２３は、下側に配置される受皿２４と上側に配置される保持リング２５から成るカップホルダーを構成している。
【００４３】
受皿２４は、図７に示すように、合成樹脂により一体成形された皿本体２６を構成し、全体をほぼ円形状に形成された皿本体２６から延設した枢結片２７、２７を、スライド体６８の縦板部１７の突設されたブラケット２８、２８に枢着することにより、起立姿勢と展開姿勢の間で回動自在とされる。図示実施形態の場合、皿本体２６は、枢結片２７、２７の間に延びる支持片２９を延設し、これに対して、スライド体６８の縦板部１７は、ブラケット２８、２８の下方で支持リブ１９の上に接支リブ３０を設けると共に、ブラケット２８、２８の間に位置して縦板部１７から受片３１を突設している。これにより、皿本体２６を起立姿勢から展開姿勢に向けて下向きに回動したとき、支持片２９の端面が接支リブ３０に当接すると共に、支持片２９が受片３１の下面に当接し、皿本体２６を展開姿勢にて保持するストッパ手段が構成されている。尚、皿本体２６を展開姿勢から起立姿勢に向けて上向きに回動するときは、支持片２９が接支リブ３０及び受片３１から離反するので、ストッパ手段が皿本体２６の上向き回動を妨げることはない。
【００４４】
受皿２４は、前記枢結片２７に隣接する位置で皿本体２６から従動補助片３２を延設し、受皿２４の底面と従動補助片３２の底面をほぼ面一に形成することにより、後述する制御機構の作動を受ける従動部３３を構成する。
【００４５】
保持リング２５は、線材をほぼ環状に折曲成形することにより形成され、線材の両端に枢軸を備えた枢結片３４、３４を、スライド体６８の縦板部１７の突設されたブラケット３５、３５に枢着することにより、起立姿勢と展開姿勢の間で回動自在とされる。図示実施形態の場合、前記枢結片３４の直下に位置してブラケット３５から延長された受台３６を設けている。これにより、保持リング２５を起立姿勢から展開姿勢に向けて下向きに回動したとき、枢結片３４が受台３６に載置され、保持リング２５を展開姿勢にて保持するストッパ手段が構成されている。尚、保持リング２５を展開姿勢から起立姿勢に向けて上向きに回動するときは、枢結片３４が受台３６から離反するので、ストッパ手段が保持リング２５の上向き回動を妨げることはない。
【００４６】
物置部材２３を構成する受皿２４及び保持リング２５は、何れも、自由な状態では起立姿勢から展開姿勢に回動するように付勢されている。図示実施形態の場合、付勢手段は、受皿２４及び保持リング２５の自重を利用している。即ち、受皿２４及び保持リング２５は、起立姿勢の状態で、それぞれ枢結片２７、３４の枢軸よりも上方の部位が外向き（ケース本体６６の蓋板１２に向かう方向）にやや傾くように構成されており、従って、後述する制御機構の作動アームにより保持しない限り、受皿２４及び保持リング２５がそれぞれの自重により展開姿勢に向けて回動するように付勢されている。尚、付勢手段は、受皿２４及び保持リング２５の自重を利用する他、それぞれ枢結片２７、３４の枢軸に鶴巻バネ等のスプリングを設けることにより構成しても良い。
【００４７】
受皿２４と保持リング２５の上下間隔は、両者を起立姿勢とした状態で、受皿２４が保持リング２５に重なり合うように構成されている。図例の場合、受皿２４のほぼ中心領域が保持リング２５の枢結片３４に対面するように配置され、受皿２４のほぼ中央部に切欠孔３７が開設されている。これにより、受皿２４を起立姿勢としたとき、切欠孔３７に向けて保持リング２５のブラケット３５及び受台３６が臨み、相互の干渉を防止する。
【００４８】
（制御機構の構成）
スライド体６８とケース本体６６との間には、スライド体６８を格納位置から引出し位置に移動したとき物置部材２３（具体的には受皿２４）を展開姿勢となるように回動させると共に、反対に、スライド体６８を引出し位置から格納位置に移動したとき物置部材２３（具体的には受皿２４）を起立姿勢となるように回動させる制御機構３８が設けられている。
【００４９】
制御機構３８は、スライド体６８に設けられる揺動自在な作動アーム３９と、ケース本体６６に設けられる固定の駆動レール４０とから成り、スライド体６８の引出し方向及び格納方向の移動に連動して前記駆動レール４０により前記作動アーム３９を揺動させるように構成されている。
【００５０】
作動アーム３９は、スライド体６８の縦壁２１よりもやや背面側に位置して縦板部１７に設けられた支軸４１に対して該作動アーム３９の基端部を回動自在に軸支され、縦壁２１を横切るように作動アーム３９を延長することにより先端部に前記受皿２４の従動部３３に臨む作動片４２を形成し、該作動アーム３９の中間部の外側面（ケース本体６６の蓋板１２に向かう側面）に駆動突起４３を突設している。従って、作動アーム３９を回動したとき、作動片４２が受皿２４の従動部３３に沿って上下動する。
【００５１】
図示実施形態の場合、作動アーム３９の内側面（縦板部１７に向かう側面）には一対の脚片４４、４５が設けられ、該作動アーム３９を支軸４１に軸支した状態で、脚片４４、４５が縦壁２１の両側に位置して縦板部１７に摺動自在に接支する。縦壁２１は、作動アーム３９を揺動自在に受入れる切欠部４６を形成しており、該切欠部４６の上端により作動アーム３９の上動を規制するストッパを構成する。
【００５２】
駆動レール４０は、ケース本体６６の蓋板１２に設けられ、スライド体６８が引出し位置と格納位置の間で移動する範囲にわたり延び、作動アーム３９の駆動突起４３を制御する。図示実施形態の場合、駆動レール４０は、図８に示すように、蓋板１２に形成されたスリット４７と、該蓋板１２の内側面に突出すると共にスリット４７を縁取るリブ４８により形成されているが、作動アーム３９の駆動突起４３を制御可能に摺動させるものであれば良く、従って、スリット１７だけ又はリブ４８だけで駆動レール４０を構成しても良く、更には、厳格な意味でのレール状のものでなくても良い。
【００５３】
スライド体６８をケース本体６６に格納し組付けた状態で、作動アーム３９の駆動突起４３が駆動レール４０に摺動自在に嵌合される。スライド体６８の格納位置と引出し位置の間の移動範囲に関して、格納位置Ｓ、引出し位置Ｅ、スライド体６８を引出し位置Ｅから移動して物置部材２３をケース本体６６の窓孔１６に進入させる前の所定中間位置Ｍとしたとき、駆動レール４０は、格納位置Ｓと所定中間位置Ｍの間を移動する駆動突起４３を嵌合状態で摺動させる保持部４９と、所定中間位置Ｍと引出し位置Ｅの間を移動する駆動突起４３を嵌合状態で摺動させる駆動部５０を形成し、保持部４９と駆動部５０を連続的に連通させると共に、保持部４９をほぼ水平に配置し、駆動部５０を保持部４９から正面側に向けて下降するように傾斜配置している。
【００５４】
（表示部の構成）
図９に示すように、ケース本体６６の正面フランジ６７の上端部正面には情報表示部５１が設けられており、例えば「カップホルダー」の文字等の物品名が表示される。これにより、図１に示すような支柱６０ａに組み込まれた機能的ケース６が格納式の物置装置であることをユーザに認識させることができる。このような情報表示部５１は、ラベルシール等を貼着することにより構成できる。
【００５５】
また、図示実施形態の場合、スライド体６８を引出すことにより物置部材２３を展開姿勢に回動させたとき縦板部１７に比較的大きな面積の露呈表面が形成されるので、該表面に第２の情報表示部５２を設けている。第２の情報表示部５２には、種々の宣伝広告等を表示することができ、カップホルダーの場合は飲料会社の宣伝広告を表示すると好適であり、その他、パチンコホールの宣伝広告を表示することもできる。このような情報表示部５２は、ラベルシール等を貼着することにより構成できる。
【００５６】
（機能的ケース）
上記構成に基づく機能的ケース６の作用を図１０及び図１１に基づいて説明する。上述のように、ケース本体６６に格納されたスライド体６８は、格納位置と引出し位置の間で移動自在であり、作動アーム３９の駆動突起４３を駆動レール４０に嵌合した状態で該駆動レール４０に沿って摺動するので、駆動突起４３を基準として、上述した格納位置Ｓ、所定中間位置Ｍ、引出し位置Ｅを鎖線で示している。
【００５７】
図１０は、スライド体６８が格納位置Ｓに移動した状態を示しており、スライド体６８の縦板部１７の背面側の側縁がケース本体６６の背面側の側壁に当接し、窓孔１６を閉鎖する閉止壁２０の正面側の表面が正面フランジ６７の正面側の表面とほぼ面一に配置されている。この状態で、側物置部材２３を構成する受皿２４及び保持リング２５は、何れも起立姿勢とされ、保持リング２５のほぼ下半部分に対して受皿２４のほぼ上半部分が重なり合わされている。作動アーム３９の駆動突起４３は、駆動レール４０の保持部４９に嵌合され、この状態で作動片４２を受皿２４の従動部３３の最上端に位置させ、該従動部３３を押さえることにより、受皿２４を起立姿勢に保持している。尚、保持リング２５は、受皿２４に押さえられた状態で起立姿勢を保持している。
【００５８】
この状態から摘み片２２を摘むことによりスライド体６８を引き出すと、駆動突起４３が移動して所定中間位置Ｍに達するまでは、駆動レール４０の水平に延びる保持部４９を摺動するので、作動アーム３９は回動しない。即ち、所定中間位置Ｍ、つまり、物置部材２３が窓孔１６から外部に出るまで、物置部材２３は作動アーム３９の作動片４２により起立状態を保持している。
【００５９】
そこで、スライド体６８が所定中間位置Ｍから引出し位置Ｅまで移動するとき、作動アーム３９の駆動突起４３が駆動レール４０の駆動部５０に沿って下向き傾斜方向に摺動するので、これにより作動アーム３９が回動し、作動片４２を下動する。上述のように物置部材２３は、起立姿勢から展開姿勢へと下方に向けて回動するように付勢されているので、作動片４２が下動しつつ受皿２４の従動部３３から離反するに従い、受皿２４が展開姿勢に向けて回動し、同時に、受皿２４が保持リング２５から離反するに従い、保持リング２５も展開姿勢に向けて回動する。
【００６０】
スライド体６８が引出し位置Ｅまで移動すると、図１１に示すように、駆動突起４３が駆動レール４０の駆動部５０の最下端に達し、作動アーム３９の作動片４２が下動を終了する。この状態で、受皿２４及び保持リング２５は、上述のようなストッパ手段により展開姿勢を保持し、作動片４２は受皿２４の従動部３３から離れた下方位置で停止している。従って、通常のカップホルダーと同様に、飲料カップや飲料缶等の容器５３を物置部材２３に載置し保持させることができる。
【００６１】
上記の動作と反対に、物置部材２３から容器５３を除去し、スライド体６８を引出し位置Ｅから格納位置Ｓまで移動して格納するとき、作動アーム３９の駆動突起４３が駆動レール４０の駆動部５０に沿って上向き傾斜方向に摺動するので、これにより作動アーム３９が回動し、作動片４２を上動する。作動片４２は、受皿２４の従動補助片３２の底面に当接した後、受皿２４の底面に沿って這い上がるので、作動片４２により従動部３３を押上げられることにより受皿２４が起立姿勢に向けて回動する。受皿２４が展開姿勢とされた保持リング２５に下方から当接すると、受皿２４に同行して保持リング２５も起立姿勢に向けて回動する。
【００６２】
スライド体６８と共に移動する駆動突起４３が引出し位置Ｅから所定中間位置Ｍに達するまで、物置部材２３が窓孔１６に進入しないように構成されている。つまり、駆動突起４３が所定中間位置Ｍに達したとき、駆動レール４０の駆動部５０により作動アーム３９の回動が終了し、作動片４２が最上位置まで上動することにより受皿２４及び保持リング２５を完全な起立姿勢に保持している。従って、所定中間位置Ｍから格納位置Ｓに向けてスライド体６８を移動することができる。この際、駆動突起４３は駆動レール４０の保持部４９に沿って水平方向に摺動するので、物置部材２３は作動片４２により起立姿勢を保持されている。
【００６３】
（機能的ケースの第２例）
図１２は、機能的ケース６のスライド体６８に、たばこ等の小物品を載置するための棚、灰皿、その他、開閉自在な薄型のケース等々、種々の用途に使用できる実用器具２３ａを設けた具体例を示している。
【００６４】
実用器具２３ａは、例えば、棚等を枢支手段２７ａを介して縦板部１７に起立姿勢と展開姿勢の間で回動自在となるように設けており、起立姿勢を保持するラッチ等の保持手段２９ａ、２９ｂを実用器具２３ａと縦板部１７の相互に設けている。尚、スライド体６８を引き出したとき、該スライド体６８の脱落を防止するストッパー２１ａ、２１ｂを縦板部１７と蓋板１２の相互に設けている。
【００６５】
この具体例において、ユーザは、スライド体６８を引き出した後、実用器具２３ａを手動で起立姿勢から展開姿勢へと回動すれば良い。また、利用した後は、実用器具２３ａを手動で展開姿勢から起立開姿勢へと回動し、スライド体６８をケース本体６６に格納すれば良い。従って、カップホルダーに関して上述したような制御機構３８は設けられていない。
【００６６】
（機能的ケースの第３例）
図１３は、機能的ケース６のスライド体６８に、実用器具としての袋状のポケット２３ｂを設けた具体例を示している。
【００６７】
ポケット２３ｂは、ネット又は布等により形成することができ、ユーザにより煙草その他の小物品を保持させることができる。
【００６８】
（取付体と機能的ケースの別の実施例）
図１４及び図１５は、支柱６０ａを構成する取付体６０を利用することにより携帯電話機やモバイルパソコンやデジタルプレイヤ等の携帯電気製品の充電器を設けた実施例を示している。
【００６９】
図１に示した実施例と同様に、パチンコホールの島２は、列設される隣り合うパチンコ台やパチスロ台等の遊技台３、３の間に許容される縦方向の細長いスペース４を形成する。そこで、該スペース４に装着される支柱６０ａは、下側位置に機能的ケース６を取付け、上側位置に充電器８４を取付けている。尚、図例の場合、前記スペース４の側部には貸与機５（パチンコの場合は球貸機、パチスロの場合は疑似コイン貸機）が装着されているが、このような構成に限定されない。また、充電器８４を取付けた支柱６０ａは、パチンコ等の島２の他、インターネットカフェや漫画喫茶店等の各種店舗における壁面や家具面に装着することができる。
【００７０】
図１５に示すように、支柱６０ａは、正面壁６３の両側縁から背面方向に折曲された側面壁６３ａ、６３ａを備える断面溝形に形成され、上下に背面方向に延びるフランジ６１、６２を備えている。上下フランジ６１、６２は、孔６１ａ、６２ａが穿設されており、パチンコ島等の上梁及び下梁の間に支柱６０ａを挿入した状態で、前記孔６１ａ、６２ａを介してビス等により上梁及び下梁に固着される。この状態で、正面壁６３が遊技台３（又は壁面や家具の正面壁）とほぼ面一に配置され、スペース４の正面側の開口を閉鎖する。従って、正面壁６３の背部に位置して、左右を側面壁６３ａ、６３ａにより区成され、上下をフランジ６１、６２により区成された背部空間Ｙをスペース４の内部に格納される。
【００７１】
充電器８４は、ＡＣアダプタ８５と、該ＡＣアダプタ８５を電源に接続するためのケーブル付きの電源側コネクタ８６と、前記ＡＣアダプタ８５から伸縮自在なケーブル８７を介して設けられた供給側コネクタ８８とから成る公知のものを使用することができる。
【００７２】
そこで、ＡＣアダプタ８５は、前記背部空間Ｓの内部に取付けるのが好ましく、図例の場合、側面壁６３ａにスポット溶接等で固着８９されたブラケット９０を設け、該ブラケット９０にＡＣアダプタ８５をビス等の固着手段９１により取付けている。尚、図例のような構成の他、ＡＣアダプタ８５を側面壁６３ａ又は正面壁６３に直接に取付けるように構成しても良い。
【００７３】
ＡＣアダプタ８５から導出された伸縮自在なケーブル８７は、正面壁６３の背部から正面側に向けて挿通され、該正面壁６３に設けたガイド部材９２により保持された状態で、正面壁６３に沿って垂下している。この際、ケーブル８７は、先端に設けた供給側コネクタ８８が機能的ケース６の正面側に干渉しない長さに形成され、該機能的ケース６のやや上方位置に供給側コネクタ８８が吊持されるように構成するのが好ましい。
【００７４】
そこで、支柱６０ａは、充電器８４を取付けた状態で、前述のようにスペース４に装着され、その後、正面壁６３から機能的ケース６を挿入することにより組付けられる。尚、支柱６０ａをスペース４に装着した後、電源側コネクタ８６を電源に接続される。
【００７５】
機能的ケース６は、支柱６０ａの下側位置に設けられており、その機能及び構造と、支柱６０ａに対する取付構造は、上述した実施形態と同様である。図例の場合、図７ないし図１１図に基づいて上述した受皿２４と保持リング２５を備えた物置部材２３により、カップホルダーを兼用した携帯電気製品用ホルダー２３ｃを構成しているが、図１２に基づいて上述した棚２３ａや、図１３に基づいて上述したボケッと２３ｂにより構成しても良い。
【００７６】
この実施例の構成によれば、図１４に示すように、常時は、支柱６０ａの正面壁６３の上部から供給側コネクタ８８を吊持したケーブル８７が垂下している。そこで、顧客が携帯電話機等の携帯電気製品９３の電池を充電する必要があるときは、図１５に示すように、ケーブル８７を手元まで伸長させ、供給側コネクタ８８を携帯電気製品９３に接続すれば良い。この際、機能的ケース６のスライド体６８を引き出せば、受皿２４と保持リング２５が展開姿勢とされるので、充電中の携帯電気製品９３を保持させることができる。尚、充電完了後は、供給側コネクタ８８を取外し、ケーブル８７を再び正面壁６３に沿って垂下させ、機能的ケース６のスライド体６８をケース本体６６に格納すれば良い。
【００７７】
尚、図例の場合、ケーブル８７は、伸縮自在なコイル状のケーブルにより構成され、無負荷状態で収縮すると共に、先端を引っ張ることにより伸長するものを示しているが、このような構成に限定されるものではなく、正面壁６３の背部に巻取リールを設け、該リールが無負荷状態でケーブル８７を巻取ると共に、供給側コネクタ８８を引っ張ることによりケーブル８７を繰り出すように構成しても良い。
【図面の簡単な説明】
【００７８】
【図１】本発明に係る機能的ケースの取付装置における取付体を支柱により構成した第１例を示しており、パチンコ等の島に装着した例を示す斜視図である。
【図２】本発明に係る機能的ケースの取付装置における取付体を筐体により構成した第２例を示す斜視図である。
【図３】本発明に係る取付装置の実施形態を示しており、（Ａ）は取付体と機能的ケースを分解状態で示す斜視図、（Ｂ）は取付体に機能的ケースを取付固着した状態を示す斜視図である。
【図４】本発明に係る取付装置の実施形態を示しており、（Ａ）は機能的ケースに設けた左側の固着手段を背面側から示す斜視図、（Ｂ）は機能的ケースに設けた右側の固着手段を背面側から示す斜視図、（Ｃ）は右側の係止爪を示す横断面図、（Ｄ）は左側の係止爪を示す横断面図、（Ｅ）は嵌着爪を示す縦断面図である。
【図５】本発明に係る取付装置の実施形態を示しており、取付体の正面壁を正面側から示す斜視図である。
【図６】本発明に係る取付装置の作用を示しており、（Ａ）は右側の係止爪が固着される直前の状態を示す横断面図、（Ｂ）は左側の係止爪が固着される直前の状態を示す横断面図、（Ｃ）は嵌着爪が固着される直前の状態を示す縦断面図、（Ｄ）は右側の係止爪が固着された状態を示す横断面図、（Ｅ）は左側の係止爪が固着された状態を示す横断面図、（Ｆ）は嵌着爪が固着された状態を示す縦断面図である。
【図７】機能的ケースの第１例を示し、各部材を分解した状態で示す斜視図である。
【図８】機能的ケースの第１例に関し、ケース本体にスライド体を格納し、ケース本体の蓋板をケーシングから開いた状態を示す斜視図である。
【図９】機能的ケースの第１例に関し、ケース本体からスライド体を引出し、ケース本体の蓋板を破断した状態を示す斜視図である。
【図１０】機能的ケースの第１例の作用を示し、スライド体を格納位置に移動した状態を示す断面図である。
【図１１】機能的ケースの第１例の作用を示し、スライド体を引出し位置に移動した状態を示す断面図である。
【図１２】機能的ケースの第２例を示す斜視図である。
【図１３】機能的ケースの第３例を示す斜視図である。
【図１４】支柱に充電器を設けた別の実施例をパチンコ島に装着した状態を示す斜視図である。
【図１５】前記別の実施例の使用状態を示す斜視図である。
【符号の説明】
【００７９】
１    取付装置
６    機能的ケース
６０    取付体
６０ａ  支柱
６０ｂ  筐体
６３    正面壁
６４    挿入窓
６４ａ  延長窓部
６４ｂ  上縁
６６    ケース本体
６７    正面フランジ
６８    スライド体
６９    上片
７０    下片
７１、７２  左右側片
７３、７４  被係止縁
７５    被挟持片
７６    嵌着孔
７７、７８  係止爪
７９    嵌着爪
８０    突部
８１    スリット
８２、８３  凹部
【図１】
2009082342.tif 000003
【図２】
2009082342.tif 000004
【図３】
2009082342.tif 000005
【図４】
2009082342.tif 000006
【図５】
2009082342.tif 000007
【図６】
2009082342.tif 000008
【図７】
2009082342.tif 000009
【図８】
2009082342.tif 000010
【図９】
2009082342.tif 000011
【図１０】
2009082342.tif 000012
【図１１】
2009082342.tif 000013
【図１２】
2009082342.tif 000014
【図１３】
2009082342.tif 000015
【図１４】
2009082342.tif 000016
【図１５】
2009082342.tif 000017